(57)【要約】【課題】光源の熱を効率良く放熱可能にすることにより、小型化かつ高度なデザイン性を実現したカメラ装置の提供。【解決手段】放熱性に優れた素材により形成された筐体内にＬＥＤ２０を収容した光源ユニット２と、光源ユニット２との間に所定の隙間３０を保った状態で光源ユニット２を保持するための凹部が形成され、ＬＥＤ２０を制御するための制御回路が筐体内に収容された本体ユニット１とを有し、光源ユニット２は、本体ユニット１側の面に、空気の流路を形成するための複数のフィンを有する。ＬＥＤ２０の熱は、光源ユニット２の複数のフィンにより放熱されることにより、これらの複数のフィンにより形成された流路の空気が暖められ、上昇気流を発生するので、この上昇気流により光源ユニット２と本体ユニット１との間の隙間を風が流れるようになり、流れる風により冷却され、効率良く放熱される。【選択図】図１
2007121593.tif 000002
【特許請求の範囲】
【請求項１】
放熱性に優れた素材により形成した、光源を収容した光源ユニットと、
前記光源ユニットとの間に所定の隙間を保った状態で前記光源ユニットを保持するための凹部と、筐体内に収容した前記光源を制御するための制御回路と、撮影のためのカメラとを有した本体ユニットとを備え、
前記光源ユニットは、前記本体ユニット側の面に、空気の流路を形成するための複数のフィンを有し、前記隙間を流れる空気により放熱するカメラ装置。
【請求項２】
前記光源ユニットは、前記本体ユニットのカメラに対して、鉛直方向上部にある請求項１記載のカメラ装置。
【請求項３】
前記光源ユニットは、前記本体ユニット側の面に、前記光源と前記制御回路とを電気的接続するための光源ユニット側コネクタを有し、
前記本体ユニットは、前記光源ユニット側の面に、前記光源ユニット側コネクタと接続する本体ユニット側コネクタを有し、
前記光源ユニット側コネクタと前記本体ユニット側コネクタとの接続部の周囲には、防水パッキンが設けられた請求項１記載のカメラ装置。
【請求項４】
前記光源ユニットは、前記光源が表側に配設された基板と、前記複数のフィンが形成された裏側部材と、同裏側部材とともに前記筐体を構成する表側部材と、前記基板上の光源と前記表側部材との間に介在させる熱伝導シートと、前記表側部材と裏側部材との間の接触面を密閉する防水パッキンとを有する請求項１または２に記載のカメラ装置。
【請求項５】
前記光源ユニットの筐体は金属製である請求項１記載のカメラ装置。
【請求項６】
前記本体ユニットの筐体は樹脂製である請求項１記載のカメラ装置。
【請求項７】
前記光源は、発光ダイオードである請求項１記載のカメラ装置。
【発明の詳細な説明】
【技術分野】
【０００１】
本発明は、光源を有するカメラ装置に関する。
【背景技術】
【０００２】
防犯用として、焦電センサにより人の動きを検知してその瞬間をカメラにより自動的に撮影するカメラ装置がある。この種のカメラ装置において屋外に設置されるものは、夜間撮影用にライトを有している。このライトの光源には、一般的にハロゲン球などの電球が用いられているが、小型化が困難である。そこで、小型の発光ダイオード（ＬＥＤ）を光源としたカメラ装置が開発されている（例えば、特許文献１参照。）。
【０００３】
ところが、光源にＬＥＤを用いる場合、ＬＥＤの発熱によって機器の内部に熱が溜まり、焦電センサや他のデバイスに悪影響を与えることがある。また、場合によっては、自らの発熱によりＬＥＤがジャンクション温度を超えてしまうという問題がある。
【０００４】
そこで、ＬＥＤを用いた照明器具において、放熱性を向上することにより温度上昇を抑制する試みがなされている。例えば、特許文献２に記載の照明器具は、複数のＬＥＤランプが配設されたＬＥＤ基板を、放熱性に優れた素材で形成された基体に接触させた状態で内設させたものである。
【特許文献１】特開２００５−１０１８８１号公報
【特許文献２】特開２００２−３３００６号公報
【発明の開示】
【発明が解決しようとする課題】
【０００５】
ところが、特許文献２の図２に示す例では、この基体内に電源基板も設けられているため、ＬＥＤランプの熱は基体を伝って電源基板を加熱し、悪影響を及ぼす可能性がある。また、特許文献２の図４、図７および図９に示す例では、ＬＥＤ基板を基体内に設け、支持体内に電源回路を設けているが、この場合は基体と支持体とが完全に分離されるので器具全体が大型化してしまう。
【０００６】
そこで、本発明においては、光源の熱を効率良く放熱可能にすることにより、小型化かつ高度なデザイン性を実現したカメラ装置を提供することを目的とする。
【課題を解決するための手段】
【０００７】
上記課題を解決するため本発明のカメラ装置は、放熱性に優れた素材により形成された筐体内に光源を収容した光源ユニットと、光源ユニットとの間に所定の隙間を保った状態で光源ユニットを保持するための凹部が形成され、光源を制御するための制御回路が筐体内に収容された本体ユニットとを有し、光源ユニットは、本体ユニット側の面に、空気の流路を形成するための複数のフィンを有する構成とした。
【発明の効果】
【０００８】
本発明によれば、光源の熱が、光源ユニットの本体ユニット側の面に有する複数のフィンにより放熱されることにより、これらの複数のフィンにより形成された流路の空気が暖められ、上昇気流を発生するので、この上昇気流により光源ユニットと本体ユニットとの間の隙間を風が流れるようになる。これにより、光源の熱は、光源ユニットと本体ユニットとの間の所定の隙間を流れる風により冷却され、効率良く放熱されるので、本体ユニットには伝わらない。また、光源ユニットは、本体ユニットに形成された凹部に埋め込まれるように保持されるので、一体感を保ったまま小型化することができ、高度なデザイン性
を実現できる。
【発明を実施するための最良の形態】
【０００９】
本願の第１の発明は、放熱性に優れた素材により形成した、光源を収容した光源ユニットと、光源ユニットとの間に所定の隙間を保った状態で光源ユニットを保持するための凹部と、筐体内に収容した光源を制御するための制御回路と、撮影のためのカメラとを有した本体ユニットとを備え、光源ユニットは、本体ユニット側の面に、空気の流路を形成するための複数のフィンを有し、隙間を流れる空気により放熱するカメラ装置としたものであり、光源の熱が、光源ユニットの本体ユニット側の面に有する複数のフィンにより放熱されることにより、これらの複数のフィンにより形成された流路の空気が暖められ、上昇気流を発生するので、この上昇気流により光源ユニットと本体ユニットとの間の隙間を風が流れるようになる。これにより、光源の熱は、光源ユニットと本体ユニットとの間の所定の隙間を流れる風により冷却され、効率良く放熱されるので、本体ユニットには伝わらない。また、光源ユニットは、本体ユニットに形成された凹部に埋め込まれるように保持されるので、一体感を保ったまま小型化することができ、高度なデザイン性を実現できる。また、熱によるカメラの光学系部品と電気系部品の損傷を防ぐことができる。
【００１０】
本願の第２の発明は、光源ユニットを、本体ユニットのカメラに対して、鉛直方向上部に設置したものであり、光源ユニットから発生する熱が空気の対流により上部に移動するという作用があり、カメラの光学系の損傷を防ぐことができるという効果がある。
【００１１】
本願の第３の発明は、光源ユニットが、本体ユニット側の面に、光源と制御回路とを電気的接続するための光源ユニット側コネクタを有し、本体ユニットが、光源ユニット側の面に、光源ユニット側コネクタと接続する本体ユニット側コネクタを有し、光源ユニット側コネクタと本体ユニット側コネクタとの接続部の周囲には、防水パッキンが設けられたカメラ装置としたものであり、光源ユニットと本体ユニットとの間には所定の隙間が存在し、この隙間には雨水等が浸入することになるが、これらの光源ユニットと本体ユニットとの接続部である光源ユニット側のコネクタと本体ユニット側のコネクタとの周囲に防水パッキンが設けられていることにより、これらの接続部から光源ユニット内部および本体ユニット内部へ雨水等が浸入するのを防ぐことができる。その効果として、光源ユニットと本体ユニット、特に電気系部品の損傷を防ぐことができる。
【００１２】
本願の第４の発明は、光源ユニットが、光源が表側に配設された基板と、複数のフィンが形成された裏側部材と、裏側部材とともに筐体を構成する表側部材と、基板上の光源と表側部材との間に介在させる熱伝導シートと、表側部材と裏側部材との間の接触面を密閉する防水パッキンとを有するカメラ装置としたものであり、光源と表側部材との間に介在させた熱伝導シートによって光源から表側部材への熱伝導を良くし、放熱性を高めることができる。また、表側部材と裏側部材との間の接触面を防水パッキンにより密閉することにより、光源ユニット内部へ雨水等が浸入するのを防ぐことができる。その効果として、光源ユニットと本体ユニット、特に電気系部品の損傷を防ぐことができる。
【００１３】
本願の第５の発明は、光源ユニットの筐体を金属製としたものであり、光源ユニットは放熱性に優れた金属製とすることで効率良く放熱することができる。
【００１４】
本願の第６の発明は、本体ユニットを熱伝導率の低い樹脂製とすることで光源ユニットの熱が伝わりにくくすることができる。
【００１５】
本願の第７の発明は、光源が、発光ダイオードであるカメラ装置としたものであり、小型の発光ダイオードを光源とすることにより、小型のカメラ装置を実現できる。その効果として、小型化によりデザインの自由度が大きくなる。
【００１６】
以下、本発明の実施の形態について図面を参照して説明する。
【００１７】
図１は本発明の実施の形態におけるカメラ装置の斜視図、図２は図１のカメラ装置の光源ユニットおよび化粧パネルを取り外した状態を示す斜視図、図３は光源ユニットを裏面側からみた斜視図、図４は分解した光源ユニットを正面側からみた斜視図、図５は分解した光源ユニットを裏面側からみた斜視図である。
【００１８】
図に示すように、本発明の実施の形態におけるカメラ装置は、本体ユニット１と、複数の白色のＬＥＤ２０を光源とした光源ユニット２とを有する。本体ユニット１には、人体センサとしての焦電センサ３、カメラ４や、ＬＥＤ２０を制御するための制御回路（図示せず。）等のデバイスが収容されている。また、本体ユニット１には、光源ユニット２を保持するための凹部１０が形成されている。なお、本体ユニット１の筐体は樹脂製であるが、発熱体となるＬＥＤ２０を収容する光源ユニット２の筐体は、放熱性に優れた素材、すなわち金属（例えばアルミニウム）により形成されている。また、本体ユニット１の焦電センサ３およびカメラ４の正面には、化粧パネル５が取り付けられる。
【００１９】
光源ユニット２は、ＬＥＤ２０の光を正面側に照射するための開口２１ａが形成された表側部材２１と、熱伝導シート２２と、ＬＥＤ２０の光を開口２１ａへ向けて導くための導光板２３と、ＬＥＤ２０が表側（図５の裏側）に配設された基板２４と、防水パッキン２５と、表側部材２１とともに筐体を構成する裏側部材２６とを有する。熱伝導シート２２は、基板２４上のＬＥＤ２０と表側部材２１との間に介在させて、ＬＥＤ２０の熱を表側部材２１に伝導するものである。防水パッキン２５は、表側部材２１と裏側部材２６との間の接触面を密閉するものである。
【００２０】
この光源ユニット２の本体ユニット１側の面、すなわち裏側部材２６には、複数のフィン２６ａが形成されている。この複数のフィン２６ａは、光源ユニット２の放熱板としての役割を果たすとともに、光源ユニット２と本体ユニット１との間に空気の流路を形成する。また、光源ユニット２は、本体ユニット１の凹部１０に対して所定の隙間３０を保った状態で保持される。
【００２１】
また、光源ユニット２の本体ユニット１側の面には、光源ユニット２のＬＥＤ２０と本体ユニット１内の制御回路とを電気的に接続するためのコネクタ（図示せず。）を通すためのコネクタ取付口２７を有する。一方、本体ユニット１にも同様に、光源ユニット２側の面に光源ユニット２側のコネクタと接続するコネクタ（図示せず。）を通すためのコネクタ取付口１１を有する。また、光源ユニット側コネクタと本体ユニット側コネクタとの接続部の周囲、すなわちコネクタ取付口１１には、防水パッキン１２が設けられている。
【００２２】
上記構成のカメラ装置では、ＬＥＤ２０の熱は、ＬＥＤ２０と光源ユニット２の表側部材２１との間に介在させた熱伝導シート２２によってＬＥＤ２０から表側部材２１へ伝達され、この表側部材２１の表面から放熱される。また、ＬＥＤ２０の熱は、光源ユニット２の裏側部材２６の複数のフィン２６ａからも放熱される。また、このとき、この複数のフィン２６ａから放熱されることにより、これらの複数のフィン２６ａにより形成された流路の空気が暖められ、上昇気流を発生する。そして、この上昇気流により光源ユニット２と本体ユニット１との間の隙間３０を風が流れるようになる。これにより、ＬＥＤ２０の熱は、光源ユニット２と本体ユニット１との間の隙間３０を流れる風により冷却され、効率良く放熱されるので、本体ユニット１には伝わらない。
【００２３】
したがって、本実施の形態におけるカメラ装置では、ＬＥＤ２０の熱が本体ユニット１内の焦電センサ３や制御回路等に伝わらず、これらへ悪影響を及ぼすことがない。また、
この光源ユニット２は、本体ユニット１に形成された凹部１０に埋め込まれるように保持されるので、一体感を保ったまま小型化することができ、高度なデザイン性を有している。
【００２４】
また、光源ユニット２と本体ユニット１との間には隙間３０が存在するので、この隙間３０には雨水等が浸入することになるが、これらの光源ユニット２と本体ユニット１との接続部である光源ユニット側のコネクタと本体ユニット側のコネクタとの周囲に防水パッキン１２が設けられているので、これらの接続部から光源ユニット２内部および本体ユニット１内部への雨水等の浸入は防止されている。また、光源ユニット２の表側部材２１と裏側部材２６との間の接触面は防水パッキン２５により密閉されているので、この接触面から光源ユニット２内部へ雨水等が浸入することもない。
【００２５】
また、本実施の形態におけるカメラ装置では、光源ユニット２の筐体を放熱性に優れた金属製、本体ユニット１の筐体を熱伝導率の低い樹脂製としているので、光源ユニット２の熱はさらに本体ユニット１側へ伝わりにくい。なお、光源ユニット２の筐体は、ダイキャスト、押し出し成形、削り出し等のどのような方法により成型してもよい。
【産業上の利用可能性】
【００２６】
本発明のカメラ装置は、ドアホンや監視カメラ等の防犯用のカメラ装置として有用である。特に、光源の熱を効率良く放熱可能にすることにより、小型化かつ高度なデザイン性を実現したカメラ装置として好適である。
【図面の簡単な説明】
【００２７】
【図１】本発明の実施の形態におけるカメラ装置の斜視図
【図２】図１のカメラ装置の光源ユニットおよび化粧パネルを取り外した状態を示す斜視図
【図３】光源ユニットを裏面側からみた斜視図
【図４】分解した光源ユニットを正面側からみた斜視図
【図５】分解した光源ユニットを裏面側からみた斜視図
【符号の説明】
【００２８】
１    本体ユニット
２    光源ユニット
３    焦電センサ
４    カメラ
５    化粧パネル
１０    凹部
１１    コネクタ取付口
１２    防水パッキン
２０    ＬＥＤ
２１    表側部材
２１ａ    開口
２２    熱伝導シート
２３    導光板
２４    基板
２５    防水パッキン
２６    裏側部材
２６ａ    フィン
２７    コネクタ取付口
３０    隙間
【図１】
2007121593.tif 000003
【図２】
2007121593.tif 000004
【図３】
2007121593.tif 000005
【図４】
2007121593.tif 000006
【図５】
2007121593.tif 000007